(57)【要約】【課題】配線の挟み込みを防止できる遊技球通路部材を提供すること。【解決手段】ベース部材２に取り付けられて、上方に配置される球払出装置３から遊技球を受け取る遊技球通路部材１において、上方に立ち上がる立上がり部１５を側部１６に設け、立上がり部１５を、遊技球通路部材１と球払出装置３とをベース部材２の各所定位置に取り付けたときに、球払出装置３の側部３１に達する高さとする。【選択図】　図１
2004081238.tif 000002
【特許請求の範囲】
【請求項１】
ベース部材に取り付けられて、上方に配置される上方部材から遊技球を受け取る遊技球通路部材であって、
上方に立ち上がる立上がり部が側部に設けられ、前記立上がり部が、前記遊技球通路部材と前記上方部材とを前記ベース部材の各所定位置に取り付けたときに、前記上方部材の側部に達する高さとされていることを特徴とする遊技球通路部材。
【請求項２】
前記立上がり部の上部が、前記遊技球通路部材と前記上方部材とを前記ベース部材の各所定位置に取り付けたときに、前記上方部材の側部の下部に沿うように構成されていることを特徴とする請求項１記載の遊技球通路部材。
【請求項３】
請求項１または２記載の遊技球通路部材を用いたことを特徴とする遊技機。
【発明の詳細な説明】
【０００１】
【発明の属する技術分野】
本発明は、遊技機等に用いられ、遊技球の通路を形成する遊技球通路部材に関し、特に、配線の挟み込みを防止可能な遊技球通路部材に関する。
【０００２】
【従来の技術】
従来から、パチンコ遊技機や貸し球機等には、払い出される遊技球の数を数えるためのカウンターが設けられている。このカウンターは、球払出装置内に収納されており、球払出装置はパチンコ遊技機等のベース部材に取り付けられている。そして、球払出装置の下方には、球払出装置から送出される遊技球を受け入れ、払出用に送出したり、球抜き用に送出したりする遊技球通路部材が配置される。
【０００３】
【発明が解決しようとする課題】
しかし、従来の遊技球通路部材は、球払出装置との間の隙間に配線が挟み込まれる虞があリ、そのような配線の挟み込みにより、球払出装置から遊技球通路部材に送られる遊技球の球詰まりが発生してしまうという問題があった。特に、ホール側の機器に接続されるパチンコ遊技機等においては、配線の接続先がまちまちであるため配線を長くしておく必要があり、挟み込みが生じ易かった。
【０００４】
この発明は、上述した問題を解決するものであり、配線の挟み込みを防止可能な遊技球通路部材及び遊技機を提供することを目的とする。
【０００５】
【課題を解決するための手段】
本発明の遊技球通路部材は、ベース部材に取り付けられて、上方に配置される上方部材から遊技球を受け取るものであって、上方に立ち上がる立上がり部が側部に設けられ、前記立上がり部が、前記遊技球通路部材と前記上方部材とを前記ベース部材の各所定位置に取り付けたときに、前記上方部材の側部に達する高さとされていることを特徴とする。
【０００６】
ここで、前記立上がり部の上部が、前記遊技球通路部材と前記上方部材とを前記ベース部材の各所定位置に取り付けたときに、前記上方部材の側部の下部に沿うように構成されていることが好ましい。
【０００７】
また、本発明の遊技機は、上記遊技球通路部材を用いたことを特徴とする。
【０００８】
【発明の実施の形態】
以下、本発明の一実施形態を図面に基づいて説明する。
【０００９】
図１は、パチンコ遊技機に用いられる遊技球通路部材（以下、単に通路部材と言う。）１の斜視図である。通路部材１は、合成樹脂製であり、前部部材１１と後部部材１２の２つの部材を組み合わせることにより構成されている。
【００１０】
通路部材１の上面には、払出用入口部１４ａ、１４ｂが形成され、通路部材１の内部には、払出用入口部１４ａ、１４ｂから入った遊技球が通過する払出用通路（図示せず）が形成され、通路部材１の前面及び下面には、払出用通路を通過した遊技球を送出するための払出用出口部（図示せず）がそれぞれ形成されている。
【００１１】
また、通路部材１の前部（すなわち、前部部材１１）の上面には、球抜き用入口部１３ａ、１３ｂの前部を除く部分が形成され、前部部材１１の前面には、球抜き用入口部１３ａ、１３ｂから入った遊技球が通過する球抜き用通路（図示せず）の前部を除く部分が形成され、前部部材１１の下面には、球抜き用通路を通過した遊技球を送出するための球抜き用出口部（図示せず）の前部を除く部分が形成されている。球抜き用入口部１３ａ、１３ｂの前部、球抜き用通路の前部、及び、球抜き用出口部の前部は、後述するベース部材２により形成され、通路部材１をベース部材２に取り付けた場合に、通路部材１の前部部材１１とベース部材２とに囲まれることにより、球抜き用入口部１３ａ、１３ｂ、球抜き用通路、及び、球抜き用出口部が形成される。
【００１２】
通路部材１の後部（すなわち、後部部材１２）の側部１６には、側部１６の上端部から接続部１５ａを経て上方に立ち上がる立上がり部１５が設けられている。立上がり部１５は略矩形の板状（すなわち、壁状）をなし、側部１６上部の壁状部１６ａに対して略平行となるように上方に立ち上がっている。
【００１３】
この立上がり部１５は、後述するように通路部材１及び球払出装置３をベース部材２の各所定位置に取り付けたときに、球払出装置３の側部３１に達する高さとされている。ここでは、立上がり部１５の（下端から上端までの）高さは、通路部材１及び球払出装置３をベース部材２の各所定位置に取り付けた状態における、立上がり部１５の下端から球払出装置３の側部３１の下端位置までの高さより高くなるように形成されている。
【００１４】
そして、立上がり部１５の上部は、通路部材１と球払出装置３とをベース部材２の各所定位置に取り付けたときに、球払出装置３の側部３１の下部に沿うように（ここでは、側部３１の下部との間に若干の間隔を置いて、側部３１の下部に略平行となるように）構成されている。
【００１５】
また、通路部材１には、後部部材１２及び前部部材１１を貫通する複数のビス孔１７が形成されている。一方、通路部材１が取り付けられるベース部材２（図２参照）にも、対応する位置にビス孔（図示せず）が設けられている。ベース部材２は、合成樹脂製で略矩形状に形成され、中央部には遊技盤を配置するため開口部２１が設けられている。
【００１６】
上記のように構成された通路部材１をベース部材２に取り付ける場合、ビス孔１７を用いて、前部部材１１と後部部材１２とを一緒に、ベース部材２の図２に示す所定位置にビス止めする。なお、このビス止めにより、前部部材１１と後部部材１２とは互いに固着される。
【００１７】
そして、通路部材１の上方に当たるベース部材２の所定位置には、図２に示すように、球払出装置３を取り付ける。球払出装置３は、通路部材１に遊技球を送る上方部材に該当し、内部に遊技球を数えるカウンターが収納されており、カウンターを経た遊技球を払出用入口部１４ａ、１４ｂに送り込み、また、カウンターを経ない遊技球を球抜き用入口部１３ａ、１３ｂに送り込むものである。したがって、球払出装置３の下面には、通路部材１の各入口部に対応した各出口部が設けられており、通路部材１と球払出装置３とをベース部材２の各所定位置に取り付けたときに、通路部材１の各入口部の位置と球払出装置３の各出口部の位置とが一致するように構成されている。
【００１８】
また、上述したように、立上がり部１５の上部は、通路部材１と球払出装置３とをベース部材２の各所定位置に取り付けたときに、球払出装置３の側部３１の下部に沿うように構成されている。したがって、逆に球払出装置３の側部３１の下部を立上がり部１５の上部に沿わせるようにして、球払出装置３をベース部材２に取り付ければ、球払出装置３が、少なくとも左右方向において所定位置に取り付けられることとなる。
【００１９】
また、通路部材１の下部には、払出の制御を行う制御基板が収納された払出制御ボックス４を、後方から取り付ける。払出制御ボックス４の横には、電源基板が収納された電源基板ケース５を取り付ける。
【００２０】
一方、球払出装置３の上方には、球払出装置３に遊技球を送り込むタンクレール６を取り付け、タンクレール６の上方には、タンクレール６に遊技球を供給するタンク７を取り付ける。
【００２１】
上記のように、ベース部材２に、通路部材１、球払出装置３、払出制御ボックス４、電源基板ケース５等を取り付けた後、払出制御ボックス４、電源基板ケース５等から出ている配線（図示せず）を、パチンコ遊技機内の他の基板やホール側のコンピュータ等に接続する。そのような配線の接続の際、通路部材１と球払出装置３との間の隙間８に配線が入り込もうとしても、図３に示すように、通路部材１の側部１６から球払出装置３の側部３１にかけて立上がり部１５が配置され、すなわち、隙間８の側方に立上がり部１５が配置されているので、立上がり部１５が配線の入り込みを妨げることとなって、配線の挟み込みを防止することができる。
【００２２】
また、上述したように、側部３１の下部を立上がり部１５の上部に沿わせるようにして、球払出装置３をベース部材２に取り付ければ、球払出装置３が少なくとも左右方向において所定位置に取り付けられるので、球払出装置３の位置決めが容易となり、通路部材１と球払出装置３との間の通路ずれ（すなわち、球払出装置３の各出口部の位置と、通路部材１の各入口部の位置とのずれ）を防止することができる。
【００２３】
なお、立上がり部１５の形状等は上記のものに限られず、例えば、板状（壁状）ではなく棒状（柱状）や柵状に形成してもよい。また、上記実施形態では、通路部材１の後部部材１２の一方の側部１６にのみ立上がり部１５を設けたが、後部部材１２の側部１６のみならず前部部材１１の側部にも立上がり部１５を設けてもよいし、立上がり部１５を通路部材１の両方の側部に設けてもよい。
【００２４】
また、上記実施形態では、立上がり部１５の上部が側部３１の下部に沿うように、立上がり部１５の高さを側部３１の下端位置より上まで達する高さとしたが、立上がり部１５の高さは、側部３１の下端位置以上の高さであればよく、例えば、ちょうど側部３１の下端に接する高さとしてもよい。
【００２５】
また、立上がり部１５を設けるのは球払出装置３から遊技球を受取る通路部材１に限らず、上方部材から遊技球を受取るような通路部材であればよい。例えば、球払出装置３自身、タンクレール６から遊技球を受け取るので、球払出装置３を通路部材と考えれば、球払出装置３の側部３１に立上がり部１５を設けてもよい。
【００２６】
さらに、上記実施形態では通路部材１をパチンコ遊技機に用いたが、遊技機以外の貸し球機等に通路部材１を用いてもよい。
【００２７】
すなわち、特許請求の範囲を逸脱しない範囲で、本発明は種々の実施形態を採りうる。
【００２８】
【発明の効果】
本発明によれば、上方に立ち上がる立上がり部が通路部材の側部に設けられ、立上がり部が、通路部材と上方部材とをベース部材に取り付けたときに、上方部材の側部に達するような高さとされている。したがって、通路部材と上方部材とをベース部材に取り付けたとき、通路部材の側部から上方部材の側部にかけて立上がり部が配置されることとなり、すなわち、通路部材と上方部材との間の隙間の側方に立上がり部が配置されることとなる。このため、立上がり部が通路部材と上方部材との間の隙間への配線の入り込みを妨げることとなり、配線の挟み込みを防止することができる。
【００２９】
また、通路部材と上方部材とをベース部材の各所定位置に取り付けたときに、立上がり部の上部が上方部材の側部の下部に沿うように構成することにより、上方部材をベース部材に取り付ける際、上方部材の側部の下部を立上がり部の上部に沿わせるようにして取り付ければ、上方部材が、左右方向において所定位置に取り付けられることとなる。すなわち、通路部材が上方部材を取り付ける際のガイドとなる。このため、上方部材の位置決めが容易となり、上方部材と通路部材との間の通路ずれを防止することができる。
【図面の簡単な説明】
【図１】本発明の通路部材の一実施形態の斜視図である。
【図２】図１の通路部材を取り付けた状態のベース部材の背面図である。
【図３】図２の要部拡大図である。
【符号の説明】
１　通路部材
２　ベース部材
３　球払出装置（上方部材）
１５　立上がり部
１６　側部
３１　側部
【図１】
2004081238.tif 000003
【図２】
2004081238.tif 000004
【図３】
2004081238.tif 000005